(57)【特許請求の範囲】
【請求項１】
取付面に固定する固定部と、固定部に所定の可動範囲で可動自在に設けられた握り部材とを設け、握り部材を任意の位置で停止できるようにした可動手摺であって、握り部材の可動範囲を、取付状態で水平から垂直の間を可動自在とし、かつ、前記握り部材の可動範囲に、垂直に近い範囲では握り部材が上方に緩やかに可動する範囲と、水平に近い範囲では握り部材が下方に緩やかに可動する範囲と、その中間の範囲では握り部材が任意の位置で停止可能な範囲とを設けたことを特徴とする可動手摺。
【請求項２】
前記握り部材の可動範囲に、７０°以上の範囲では、握り部材が上方に緩やかに可動する範囲と、２０°以下の範囲では握り部材が下方に緩やかに可動する範囲と、２０°から７０°の範囲では握り部材が任意の位置で停止可能とする範囲とを設けたことを特徴とする請求項１記載の可動手摺。
【請求項３】
前記可動範囲の下止点側に衝撃吸収手段を設けたことを特徴とする請求項１または２に記載の可動手摺。
【発明の詳細な説明】
【０００１】
【発明の属する技術分野】
本発明は、車イス等を使用する身体障害者が、便器等を利用する場合に用いる握り部材が可動可能な可動手摺に関する。特に握り部材を上方にはね上げるはね上げタイプの可動手摺に関する。
【０００２】
【従来の技術】
従来の可動手摺は、実公昭５８ー２５９２０号や実開昭５４ー１７６２９５号に示されるように、握り部材を水平位置で止めるか、垂直位置で止めるかであり、その間は使用者が手で持ち上げながら移動する必要があった。特に車いすにすわった使用者の場合、握り部材を垂直位置まで持ち上げるのは手が届きにくく、また、垂直位置にある握り部材を水平位置に戻す場合にも手が届きにくく不便であった。更に、握り部材を持ち上げながら移動する場合には、片手が握り部材を支えているため車いすの動かすのに一方の手しか使用できず使いづらい面があった。また勢いよく握り部材をはね上げると、垂直位置で止まらずはね返ること考えられる。
【０００３】
【発明が解決しようとする課題】
本発明は、車いす等の使用者が簡単に握り部材を可動できるようにすることにより、車いす等から便器等への移動が容易にする。
【０００４】
【課題を解決するための手段】
本発明の請求項１では、取付面に固定する固定部と、固定部に所定の可動範囲で可動自在に設けられた握り部材とを設け、握り部材を任意の位置で停止できるようにした。請求項２では、握り部材の可動範囲に、緩やかに可動する範囲と、任意の位置で停止可能な範囲とを設けた。請求項３では、握り部材の可動範囲を、取付状態で水平から垂直の間を可動自在とした。
【０００５】
請求項４では、握り部材の可動範囲に、水平に近い範囲では握り部材が下方に緩やかに可動する範囲と、それ以外の範囲では握り部材が任意の位置で停止可能な範囲とを設けた。請求項５では、握り部材の可動範囲に、垂直に近い範囲では握り部材が上方に緩やかに可動する範囲と、水平に近い範囲では握り部材が下方に緩やかに可動する範囲と、その中間の範囲では握り部材が任意の位置で停止可能な範囲とを設けた。請求項６では、握り部材の可動範囲に、７０°以上の範囲では、握り部材が上方に緩やかに可動する範囲と、２０°以下の範囲では握り部材が下方に緩やかに可動する範囲と、２０°から７０°の範囲では握り部材が任意の位置で停止可能とする範囲とを設けた。請求項７では、可動範囲の下止点側に衝撃吸収手段を設けた。
【０００６】
【発明の実施の形態】
以下、発明の実施の形態を添付図面に基づいて説明する。
【０００７】
図１から図４は本発明の一実施形態に係る可動手摺を示しており、図１は側面図、図２は平面図、図３は正面図、図４は一部断面した側面図を示している。
【０００８】
図において、可動手摺１は、取付面２に固定部としての固定部材３と固定部材３に一端を回動自在に固定した握り部材４から構成されている。実線で示した握り部材４が水平の状態を下止点位置とし、２点鎖線で示した握り部材４が垂直の状態を上止点位置とする。この下止点位置と上視点位置の間の９０°の範囲が握り部材４の可動範囲αとなる。
【０００９】
握り部材４はＵ字形の握り部本体５と、握り部本体５を上杆６と下杆７を連結する連結杆８と、上杆６の一方端に設けられた回転部材９とから構成されている。回転部材９の両端が固定部材３の上部に設けられた突出板部１０、１１に回動自在に固定されることにより握り部材４が固定部材３に対して回動自在になっている。また、回転部材９には握り部材４の回動を制御する制御部材１２が収納されている。この制御部材１２により握り部材４が可動範囲の任意の位置で停止可能となる。停止可能とは、水平状態の握り部材４を手で上方へ回転させ、任意の位置で手を放すと、その位置で握り部材が停止し、手等により握り部材に外力を加えない限りその状態を保持することである。
【００１０】
回転部材９に組み込まれている制御部材１２は、２つのばねの合成モーメントとカムとカムの組み合わせによる摩擦力により握り部材４のモーメントとのバランスをとり任意の位置で握り部材４が停止できようにしている。平板カムの形状を変えることにより握り部材４が緩やかに可動する範囲と任意の位置で停止する範囲とに分けることができる。ここで説明する実施の形態では、握り部材の可動範囲αの中で、７０°から９０°の範囲では、握り部材４が上方に緩やかに可動し、上止点位置まで移動し、ストッパー１３に当接する。２０°以下の範囲では握り部材４が下方に緩やかに可動し、下止点位置まで移動し、衝撃吸収手段１４に当接する。２０°から７０°の範囲では握り部材４が任意の位置で停止可能とする。
【００１１】
次ぎに制御部材１２の構造を図５、図６に基づいて説明する。制御部材１２は、固定部材３の突出板部１１に固定される固定部１５と握り部材４の回転部材９に固定される回転部１６から構成され、固定部１５と回転部１６とはカム部１７によって当接し、ねじりばね２５で接続されている。固定部１５は摩擦力を調整する調整コマ１８と、調整スライダー１９と、圧縮ばね２０とスライドカム２１から構成させている。回転部１６は一方端にカム２２を形成し、他端に回転部材９に固定する凸部２３を形成した回転ブッシュ２４から形成されている。また、固定部１５にはねじりばね２５の一方端を支持するねじりばね固定側フック２６を設けたばね受け２７が固定され、回転部１６の回転ブッシュ２４にはねじりばね２５の他端を支持するねじりばね可動側フック２８が設けられている。
【００１２】
握り部材４を下止点位置から上方に回動させると、回転部材９に固定された回転ブッシュ２４が回転し、ねじりばね２５をねじると共に、カム２２によりスライドカム２１をスライドさせ、圧縮ばね２０を圧縮する。握り部材４の回転が２０°までは、握り部材４の自重によるモーメントが、圧縮ばね２０によりカム部１７に生じる摩擦抵抗力と、ねじりばね２５のねじり力との和より大きいため、手を放すと握り部材４は緩やかに下止点位置へ戻る。握り部材４の回転が２０°から７０°の間では、握り部材４の自重によるモーメントが、圧縮ばね２０によりカム部１７に生じる摩擦抵抗力と、ねじりばね２５のねじり力との和が釣り合うため、手を放すとその位置で停止する。握り部材の回転が、７０°から９０°の間では、握り部材４の自重によるモーメントが、圧縮ばね２０によりカム部１７に生じる摩擦抵抗力と、ねじりばね２５のねじり力との和より小さいため、手を放すと握り部材４は緩やかに上止点位置へ移動する。
【００１３】
以上の説明では、２０°から７０°を任意停止範囲とし、２０°以下を緩下降範囲とし、７０°以上を緩上昇範囲としたが、使用する環境等に応じてそれぞれの範囲の設定を変えてよい。つまり、水平近くまで下ろした場合には手を放しても自動的に下止点位置まで移動し、垂直近くまで上げた場合には手を放しても自動的に上止点位置まで移動するようにし、握り部材４の上げ下ろしを簡単に確実に行うことができる。
【００１４】
任意停止範囲、緩下降範囲、緩上昇範囲はカム部１７の形状を変更することにより変えることができる。握り部材４のモメントの釣り合いは、調整コマ１８を回転させることにより調整スライダー１９をスライドさせ、調整スライダー１９とスライドカム２１の間の圧縮ばねの初期荷重を調整することにより行える。また、以上の説明では握り部材が水平位置から垂直位置へ回動する可動手摺でしているが、水平の範囲で回動する可動手摺でのよい。
【００１５】
図７には、回転部材９と取付部材３の突出板１１との固定部を断面図で示す。回転部材９に組み込まれた制御部材１２は、ボルト２９によって固定部材３の突出板１１に固定されている。ボルト２９にはカバー３０がビス３１により固定され、更にビス３１は化粧カバー３２により覆われている。
【００１６】
図８は、ストッパー１３の横断面図を示す。固定部材３にビス３３で固定されたストッパー本体３４とストッパー本体３４の中央に設けられた緩衝体３５から構成されている。ストッパーｈｐん体３４の凹部３６と緩衝体３５で握り部材４の上杆６を受ける。
【００１７】
図９は、衝撃吸収手段１４と握り部材４の下杆７との当接状態を示す縦断面図である。下杆７の端部に設けられたガイド３７が直接ライナー４０に当たって傷ついたり、騒音を発生させないために、ガイド３７の内面に樹脂カバー４１を設けている。ガイド３７の端面と、ライナー４０の端面が当たる前に、弾性体４２にブッシュ４３の端面に当り、下降の衝撃を吸収し、下止点位置に停止するようにばね４４が縮む構造になっている。下止点位置において、衝撃吸収手段１４へ嵌合するため、クリック感が生じ、下止点位置に移動したことが明確になり、使用者へ安心感を与える。
【００１８】
また、下止点位置まで下げる時に急に力をかけた場合の衝撃を吸収し、塗装、メッキ等の傷つけ防止や、騒音の発生を押さえると共に、嵌合部をつくることにより、握り部材の端部が固定され、握り部材４へ荷重をかけた時の強度が増す。
【００１９】
【発明の効果】
本発明は、以下の効果を奏する。
【００２０】
（１）可動範囲の任意の位置で握り部材を停止できるため、車いす使用者の手の届く範囲に握り部材を止めたまま移動できるため、可動手摺の使用が容易になる。
【００２１】
（２）握り部材の可動範囲に、緩やかに可動する範囲と、任意の位置で停止可能な範囲とを設けたため、握り部材を停止させておきたい範囲と、緩やかに可動して元の位置に戻らせたい範囲を設定できるため、可動手摺の使用が一層容易になる。
【００２２】
（３）握り部材の可動範囲を、取付状態で水平から垂直の間を可動自在としたため、車いす等での便器等への移動が容易になる。
【００２３】
（４）握り部材の可動範囲に、水平に近い範囲では握り部材が下方に緩やかに可動する範囲と、それ以外の範囲では握り部材が任意の位置で停止可能な範囲とを設けたため、水平付近の位置で停止することがなく、水平位置とまちがうことがない。
【００２４】
（５）握り部材の可動範囲に、垂直に近い範囲では握り部材が上方に緩やかに可動する範囲と、水平に近い範囲では握り部材が下方に緩やかに可動する範囲と、その中間の範囲では握り部材が任意の位置で停止可能な範囲とを設けたため、水平に近い位置または、垂直に近い位置で握り部材が停止しないため、握り部材を上げておきたい場合には、垂直まで手で回動させなくても、垂直に近い位置まで持っていくと自動的に垂直まで上がるため使い勝手がよい。
【００２５】
（６）握り部材の可動範囲に、７０°以上の範囲では、握り部材が上方に緩やかに可動する範囲と、２０°以下の範囲では握り部材が下方に緩やかに可動する範囲と、２０°から７０°の範囲では握り部材が任意の位置で停止可能とする範囲とを設けたため、一層可動手摺が使用しやすい。
【００２６】
（７）可動範囲の下止点側に衝撃吸収手段を設けたため、下止点位置での衝撃を吸収し、握り部材の傷つき防止や、騒音発生防止ができる。
【図面の簡単な説明】
【図１】本発明の一つの実施の形態に係る可動手摺の側面図。
【図２】同平面図。
【図３】同正面図。
【図４】同一部断面した側面図。
【図５】制御部材の外観図。
【図６】制御部材の外観図。
【図７】回転部と取付部材の突出板との固定部の断面図。
【図８】ストッパーの横断面図。
【図９】衝撃吸収手段と握り部材の下杆との当接状態を示す縦断面図。
【符号の説明】
１  可動手摺
２  取付面
３  固定部材
４  握り部材
１２  制御部材
１４  衝撃緩衝手段
【図１】
0003584695.tif 000002
【図２】
0003584695.tif 000003
【図３】
0003584695.tif 000004
【図５】
0003584695.tif 000005
【図６】
0003584695.tif 000006
【図４】
0003584695.tif 000007
【図７】
0003584695.tif 000008
【図８】
0003584695.tif 000009
【図９】
0003584695.tif 000010